(57)【要約】      （修正有）【課題】ゴルフクラブの運送において、長尺で大型であるため梱包部材自体が高価で、運賃も高額であるため、これらを合理化する、ゴルフクラブの梱包部材を提供する。【解決手段】ヘッド梱包部材３は、下端部を閉塞して上端部が開口しているヘッド収納箱４と、ヘッド収納箱と一体もしくは別体で設けられて、ヘッド収納箱の上端部４ａの開口を塞ぐ閉塞板５とで構成され、閉塞板は、シャフト梱包部材２の下端部が挿入される切り欠き部１３が形成されており、ヘッド収納箱にゴルフクラブのヘッド部１ａを収納した状態で、閉塞板でヘッド収納箱の上端部の開口を塞いで、閉塞板を前記ヘッド収納箱に止着し、ゴルフクラブのシャフト部１ｂをシャフト梱包部材で被装して、シャフト梱包部材の下端部を閉塞板の切り欠き部に挿入するとともに、シャフト梱包部材をヘッド梱包部材に止着する。【選択図】図１
0003235558.tif 000002
【実用新案登録請求の範囲】
【請求項１】
ゴルフクラブの運送に利用するゴルフクラブの梱包部材であって、ゴルフクラブのシャフト部を収納するシャフト梱包部材と、ゴルフクラブのヘッド部を収納するヘッド梱包部材とで構成されて、
前記ヘッド梱包部材は、下端部を閉塞して上端部が開口しているヘッド収納箱と、当該ヘッド収納箱と一体もしくは別体で設けられて、前記ヘッド収納箱の上端部の開口を塞ぐ閉塞板とで構成され、
前記閉塞板は、前記シャフト梱包部材の下端部が挿入される切り欠き部が形成されており、
前記ヘッド収納箱にゴルフクラブのヘッド部を収納した状態で、前記閉塞板で前記ヘッド収納箱の上端部の開口を塞いで、当該閉塞板を前記ヘッド収納箱に止着し、
他方、ゴルフクラブのシャフト部を前記シャフト梱包部材で被装して、当該シャフト梱包部材の下端部を前記閉塞板の切り欠き部に挿入するとともに、当該シャフト梱包部材を前記ヘッド梱包部材に止着するようにしてゴルフクラブを梱包することを特徴とするゴルフクラブの梱包部材。
【請求項２】
前記シャフト梱包部材は、上端部を閉塞するとともに下端部が開口している長尺な箱としたことを特徴とする前記請求項１に記載のゴルフクラブの梱包部材。
【請求項３】
前記ヘッド梱包部材は、下端部を閉塞するとともに上端部が開口しているヘッド収納箱と、
前記ヘッド収納箱の上端部の開口を閉塞する閉塞板とで構成され、
前記ヘッド収納箱は、上端部の一角部に支持柱が形成されるとともに、当該支持柱を除く上端部には挿し込み部が形成されており、
前記閉塞板は、前記ヘッド収納箱の上端部の開口を閉塞した状態において、前記ヘッド収納箱の支持柱との相対個所を切り欠いて、当該支持柱および前記シャフト梱包部材を挿入できる切り欠き部が形成されているとともに、前記ヘッド収納箱の挿し込み部に相対して挿し込み穴が形成されており、
前記ヘッド収納箱にゴルフクラブのヘッド部を収納し、当該ヘッド収納箱の上端部の開口を前記閉塞板で塞いで、当該挿し込み穴に前記ヘッド収納箱の挿し込み部を挿入して、前記閉塞板の切り欠き部に前記ヘッド収納箱の支持柱が配置された状態で、前記閉塞板を下方に押圧してゴルフクラブのヘッド部を押圧して、当該閉塞板を前記ヘッド収納箱に止着し、
他方、ゴルフクラブのシャフト部を、前記シャフト梱包部材で被装して、当該シャフト梱包部材の下端部を、前記ヘッド収納箱の支持柱の内側で、前記閉塞板の切り欠き部に挿入し、前記シャフト梱包部材を前記ヘッド収納箱の支持柱に止着してゴルフクラブを梱包することを特徴とする前記請求項１と請求項２に記載のゴルフクラブの梱包部材。
【請求項４】
前記ヘッド梱包部材は、下端部を閉塞するとともに上端部を開口したヘッド収納箱で構成し、
前記ヘッド収納箱の上端部のうちの１角部には支持柱が形成され、
また、前記支持柱を除く、前期ヘッド収納箱の上端部には前記開口を閉塞する閉塞板が一体で形成されており、
前記閉塞板を、前記ヘッド収納箱の内側に水平に折り曲げると、前記支持柱の内側に切り欠き部が形成されようになり、
前記ヘッド収納箱にゴルフクラブのヘッド部を収納して、前記閉塞板をヘッド収納箱の内側に折り曲げて閉塞板相互を止着し、
他方、ゴルフクラブのシャフト部に、前記シャフト梱包部材を被装し、当該シャフト梱包部材の下端部を前記閉塞板の切り欠き部に挿入するとともに、当該シャフト梱包部材の下端部を、前記ヘッド収納箱の支持柱に止着してゴルフクラブを梱包することを特徴とする前記請求項１と請求項２に記載のゴルフクラブの梱包部材。
【請求項５】
前記ゴルフクラブのシャフト部を収納するシャフト梱包部材と、ゴルフクラブのヘッド部を収納するヘッド梱包部材を折り畳むとともに、厚みと巾および長さが郵便受けの投函口に投函可能なサイズに形成した外装ケースに収納するようにしたことを特徴とする前記請求項１乃至、請求項４に記載のゴルフクラブの梱包部材。
【考案の詳細な説明】
【技術分野】
【０００１】  この考案はゴルフクラブの運送に利用するゴルフクラブの梱包部材に関する。
【背景技術】
【０００２】  ゴルフクラブのうち、中古のゴルフクラブは中古専門の流通があり、ゴルフクラブの買取り会社が一般のユーザーから不要のゴルフクラブを買取りして専門店やＥＣサイトで販売している。
買取り希望者は、ゴルフクラブのメーカーや種類によって、事前に買取り価格の相場を知るところではあるが、現実には損傷の程度等によって買取り価格が変動する。
従って、ゴルフクラブの買取り希望者がゴルフクラブを買取り会社に送って、当該会社で買取り価格の査定をしない限り実際の買取り価格は決まらない。
而して、買取り希望者が、自分でゴルフクラブの梱包部材を調達して梱包することは面倒であって商談が遅延する原因ともなるので、買取り会社が買取り希望者に梱包箱等の梱包部材を送るようにしていた。【０００３】  一方、ゴルフクラブは長尺なシャフトにヘッドが付いているように、この梱包には長尺で大型の箱等の梱包部材が必要であるとともに、買取り希望者が査定価格に満足しない場合は、再度、買取り希望者に返却するなど、当該梱包部材および運賃が無駄になる場合もあって、これらの梱包部材および運賃の合理化が求められていた。【０００４】  上記ゴルフクラブの梱包に関して、以下の特許文献１と特許文献２がある。
【先行技術文献】
【特許文献】
【０００５】
【特許文献１】特開平１０−１２９７２８
【特許文献２】実全平０３−１０２４４３
【考案の概要】
【考案が解決しようとする課題】
【０００６】  特許文献１は、ゴルフクラブの運送時の衝撃などによって、ゴルフクラブが損傷することを防止した梱包ケースの構造に係るものであり、長尺で大型の箱を利用していることにおいて、この考案の目的に適うものではない。【０００７】  特許文献２は、ゴルフクラブの梱包材料として、軟質と硬質のシートが積層されているプラスチックシートを利用するものであるが、中古ゴルフクラブの買取りに於いて、買取り希望者がこれらのシートを利用してゴルフクラブを梱包するのは難しく、この考案の目的に適うものではない。【０００８】  この考案の目的は、中古ゴルフクラブの買取りの査定に於いて、ゴルフクラブの買取り会社が買取り希望者に送る梱包部材を、ゴルフクラブの特異な形状に適合したサイズに分割して、梱包部材自体のコストを軽減するとともに、これらの梱包部材を、買取り希望者の郵便受けに投函可能なサイズの外装ケースに入れて当該運賃の軽減を計り、買取りコストを合理化することを目的としている。
また、上記の梱包部材は、買取り希望者が簡易に組立ててゴルフクラブを梱包できるような構成とするとともに、他方、梱包部材と運賃が合理化できれば、買取り希望者だけでなく実店舗やＥＣサイトでゴルフクラブを買った顧客にも、無料で当該梱包部材を提供することができるなど、ゴルフクラブの買取り業務の発展を計ることを目的としている。
【課題を解決するための手段】
【０００９】    前記課題を解決するため、この考案のゴルフクラブの梱包部材は、ゴルフクラブの運送に利用するゴルフクラブの梱包部材であって、ゴルフクラブのシャフト部を収納するシャフト梱包部材と、ゴルフクラブのヘッド部を収納するヘッド梱包部材とで構成されて、前記ヘッド梱包部材は、下端部を閉塞して上端部が開口しているヘッド収納箱と、当該ヘッド収納箱と一体もしくは別体で設けられて、前記ヘッド収納箱の上端部の開口を塞ぐ閉塞板とで構成され、前記閉塞板は、前記シャフト梱包部材の下端部が挿入される切り欠き部が形成されており、前記ヘッド収納箱にゴルフクラブのヘッド部を収納した状態で、前記閉塞板で前記ヘッド収納箱の上端部の開口を塞いで、当該閉塞板を前記ヘッド収納箱に止着し、他方、ゴルフクラブのシャフト部を前記シャフト梱包部材で被装して、当該シャフト梱包部材の下端部を前記閉塞板の切り欠き部に挿入するとともに、当該シャフト梱包部材を前記ヘッド梱包部材に止着するようにした。【００１０】  また、前記シャフト梱包部材は、上端部を閉塞するとともに下端部が開口している長尺な箱とした。【００１１】  また、前記ヘッド梱包部材は、下端部を閉塞するとともに上端部が開口しているヘッド収納箱と、前記ヘッド収納箱の上端部の開口を閉塞する閉塞板とで構成され、前記ヘッド収納箱は、上端部の一角部に支持柱が形成されるとともに、当該支持柱を除く上端部には挿し込み部が形成されており、前記閉塞板は、前記ヘッド収納箱の上端部の開口を閉塞した状態において、前記ヘッド収納箱の支持柱との相対個所を切り欠いて、当該支持柱および前記シャフト梱包部材を挿入できる切り欠き部が形成されているとともに、前記ヘッド収納箱の挿し込み部に相対して挿し込み穴が形成されており、前記ヘッド収納箱にゴルフクラブのヘッド部を収納し、当該ヘッド収納箱の上端部の開口を前記閉塞板で塞いで、当該挿し込み穴に前記ヘッド収納箱の挿し込み部を挿入して、前記閉塞板の切り欠き部に前記ヘッド収納箱の支持柱が配置された状態で、前記閉塞板を下方に押圧してゴルフクラブのヘッド部を押圧して、当該閉塞板を前記ヘッド収納箱に止着し、他方、ゴルフクラブのシャフト部を、前記シャフト梱包部材で被装して、当該シャフト梱包部材の下端部を、前記ヘッド収納箱の支持柱の内側で、前記閉塞板の切り欠き部に挿入し、前記シャフト梱包部材を前記ヘッド収納箱の支持柱に止着してゴルフクラブを梱包するようにした。【００１２】  また、前記ヘッド梱包部材は、下端部を閉塞するとともに上端部を開口したヘッド収納箱で構成し、前記ヘッド収納箱の上端部のうちの１角部には支持柱が形成され、また、前記支持柱を除く、前期ヘッド収納箱の上端部には前記開口を閉塞する閉塞板が一体で形成されており、前記閉塞板を、前記ヘッド収納箱の内側に水平に折り曲げると、前記支持柱の内側に切り欠き部が形成されようになり、前記ヘッド収納箱にゴルフクラブのヘッド部を収納して、前記閉塞板をヘッド収納箱の内側に折り曲げて閉塞板相互を止着し、他方、ゴルフクラブのシャフト部に、前記シャフト梱包部材を被装し、当該シャフト梱包部材の下端部を前記閉塞板の切り欠き部に挿入するとともに、当該シャフト梱包部材の��端部を、前記ヘッド収納箱の支持柱に止着してゴルフクラブを梱包するようにした。【００１３】  また、前記ゴルフクラブのシャフト部を収納するシャフト梱包部材と、ゴルフクラブのヘッド部を収納するヘッド梱包部材を折り畳むとともに、厚みと巾および長さが郵便受けの投函口に投函可能なサイズに形成した外装ケースに収納するようにした。
【考案の効果】
【００１４】  この考案のゴルフクラブの梱包部材は、ゴルフクラブが、径大なヘッド部と径小なシャフト部が接続されている特異な形状であることに鑑みて、当該梱包部材をヘッド梱包部材とシャフト梱包部材に分割して、この組立ておよび接合によって梱包するようにしたので、梱包部材自体が安価となった。
また、シャフト梱包部材をヘッド収納部材に挿し込んで止着するような接合構造したので、ヘッド梱包部材とシャフト梱包部材が運送時に外れてゴルフクラブが損傷することなどがない。
また、ヘッド梱包部材に収納されているゴルフクラブの大小もしくは、ヘッドカバーの有無に対応して当該梱包形態が変えられるようにしたので、ヘッド梱包部材に収納されたヘッド部が、輸送時にガタ付いたり傾いたりして損傷することがない。
また、シャフト梱包部材を長尺な箱としたので、シャフト部を梱包するにあたって簡単に梱包できる。
また、ヘッド梱包部材とシャフト梱包部材を夫々折り畳んで外装ケースに収納し、一方、当該外装ケースの厚みと巾および長さを、郵便受けの投函口に投函可能なサイズとしたので、郵便や宅配便などの運送手段における格安料金で利用でき、（荷物の配達時に買取り希望者がたとえ不在であっても、荷物の配達が完了できるので、当該運送会社は格安料金を設定できる）買取りコストの合理化が計られる等の効果がある。
また、梱包部材の合理化が計られてコストが軽減するので、買取り希望者だけでなく、実店舗やＥＣサイトでゴルフクラブを購入した顧客に対して、無料で梱包部材を提供することができ、当該買取り業務を発展させることができる。
【図面の簡単な説明】
【００１５】
【図１】ゴルフクラブの梱包状態（実施例１）を示す斜視図。
【図２】梱包部材の分解斜視図。
【図３】図１のＡ−Ａ線に沿う縦断面図。
【図４】（ａ）シャフト梱包部材の斜視図。（ｂ）シャフト梱包部材を折り畳んだ平面図。
【図５】（ａ）閉塞部材の斜視図。（ｂ）閉塞部材を折り畳んだ斜視図。
【図６】外装ケースに、各梱包部材が収納される状態を示す分解斜視図。
【図７】郵便受けに外装ケースが投函される状態を示す斜視図。
【図８】ゴルフクラブの梱包状態（実施例２）を示す斜視図。
【図９】図８のＢ−Ｂ線に沿う縦断面図。
【考案を実施するための形態】
【００１６】  この考案は、ゴルフクラブの梱包部材に関するものであり、図１から図９によって以下に詳述する。
【００１７】  図１は、この考案のゴルフクラブの梱包部材でゴルフクラブ１を梱包した状態を示し、この梱包部材は、シャフト梱包部材２と、ヘッド梱包部材３とで構成されている。
上記のヘッド梱包部材３は、図１で示した実施例１では、ヘッド収納箱４と別体とした閉塞板５とで構成され、また、図８および図９で示した実施例２では、ヘッド収納箱２１と閉塞板２３とが一体で構成されている。
実施例１の梱包部材を図２で説明すると、シャフト梱包部材２は、上端部を閉塞し、下端部を開口した長尺な箱で形成されている。
また、ヘッド収納箱４は、下端部のフラップ６を折り畳んでガムテープ等で閉塞し、一方、上端部４ａを開口して、この４辺には挿し込み部７が形成されているとともに、１角部には支持柱８が形成されている。
前述の閉塞板５の外周部の４辺には止着部１１が、また、止着部１１の１角部は切り欠いて、切り欠き部１３が形成されている。
上述の梱包部材でゴルフクラブ１を梱包するには、先ず、ヘッド収納箱４にゴルフクラブ１のヘッド部１ａを収納した状態で、ヘッド収納箱４の開口を閉塞板５で塞いでヘッド部１ａを梱包するものであるが、この際に閉塞板５に形成されている挿し込み穴１４にヘッド収納箱４の挿し込み部７を挿し込み、止着部１１を下方に折り曲げて閉塞板５をヘッド収納箱４の外側に被装し、ガムテープ等で止着部１１をヘッド収納箱４に止着してヘッド部１ａを梱包する。
【００１８】  上述のようにヘッド部１ａがヘッド収納箱４内に梱包された状態で、前記シャフト梱包部材２の下端部の開口を介してシャフト部１ｂに被せるとともに、このシャフト梱包部材２の下端部を閉塞板５の切り欠き部１３に挿し込んで、シャフト梱包部材２とヘッド収納箱４の支持柱８の外側をガムテープ等で止着して、シャフト梱包部材２とヘッド梱包部材３とを接合することでゴルフクラブ１が梱包される。
図３は、閉塞板５の挿し込み部７が挿し込み穴１４に差し込まれた状態で、閉塞板５がヘッドカバー１ｃを介してヘッド部１ａを押圧してヘッド部１ａのガタ付きを防止し、一方、ヘッドカバー１ｃが装着されていない場合、もしくはヘッド部１ａが小さい場合は、閉塞板５を降下させてヘッド部１ａが押圧された状態で梱包するようにしている。
上記の梱包によって、ヘッド部１ａはヘッドカバー１ｃの有無および形状の大小にかかわらずに損傷することなく運送される。
【００１９】  また、前述の梱包部材は、夫々折り畳んで図６および図７に示した外装ケース１５に収納して利用される。
図４（ａ）は、シャフト梱包部材２を示し、一端を開口にして他端はフラップ２ａで塞ぐことのできる長尺な箱で形成し、図４（ｂ）で示したように、折り畳んで前記外装ケース１５に収納される。
また、上記のシャフト梱包部材２は、箱に組立て可能な平板として、梱包時に組立てて箱に形成し、平板状のまま折り畳んで外装ケース１５に収納する。
図５（ａ）、（ｂ）は閉塞板５を示し、図５（ｂ）のように折り畳んで外装ケース１５に収納される。
ヘッド収納箱４は図６で示したように、同様に折り畳んで外装ケース１５に収納される。
外装ケース１５は図６で示したように、この内部に前記シャフト梱包部材２と、ヘッド収納箱４および閉塞板５が夫々折り畳まれた状態で、上面の開口に蓋１７を被せてガムテープ等で封止される。
【００２０】  上記の外装ケース１５は、この厚みと巾および長さを、郵便ポスト１９の投函口２０に投函可能なサイズとすることで、当該運送において買取り希望者が不在であっても配達される。
図７は、郵便ポスト１９および投函口２０に、外装ケース１５が投函される状態を示しているが、一方、郵便ポスト１９の投函口２０は、一般の家庭および事業所によってサイズが異なるものであるが、郵便や宅配便等の運送会社においては、当該投函口２０のサイズについて夫々の規準を前提として荷物のサイズの制限をしている。
この考案の外装ケース１５および投函口２０のサイズは、上記の運送会社の規準を満たすサイズとしている。
【００２１】  図８と図９は、ヘッド梱包部材３の実施例２を示している。
この実施例のヘッド梱包部材３はヘッド収納箱２１と、このヘッド収納箱２１の上部の開口を塞ぐ閉塞板２３が、ヘッド収納箱２１と一体で形成されている。
また、ヘッド収納箱２１の上端部の１角には支持柱２４が形成されていて、前記閉塞板２３をヘッド収納箱２１の内側に水平に折り曲げた状態で、前記支持柱２４の内側には切り欠き部２６が形成される。
ヘッド収納箱２１にゴルフクラブ１のヘッド部１ａを収納して、閉塞板２３をヘッド収納箱２１の内側に折り曲げてヘッド部１ａがガタ付かないようにして、閉塞板２３相互をガムテープ等で止着してベッド部１ａを梱包する。
上記のヘッド部１ａの梱包状態で、シャフト部１ｂに被せたシャフト梱包部材２の下端部をヘッド収納箱２１の切り欠き部２６に挿し込んで、このシャフト梱包部材２とヘッド収納箱２１の支持柱２４を、ガムテープ等で止着することでゴルフクラブ１が梱包される。
上記のシャフト梱包部材２とヘッド梱包部材３は、前述の実施例１と同様に夫々折り畳んで外装ケース１５に収納して、この運送において郵便ポスト１９の投函口２０に投函される。
【符号の説明】
【００２２】１・・・ゴルフクラブ
１ａ・・・ヘッド部
１ｂ・・・シャフト部
１ｃ・・・ヘッドカバー
２・・・シャフト梱包部材
３・・・ヘッド梱包部材
４・・・ヘッド収納箱
４ａ・・・上端部
５・・・閉塞板
７・・・挿しこみ部
８・・・支持柱
１１・・・止着部
１３・・・切り欠き部
１４・・・挿しこみ穴
１５・・・外装ケース
１９・・・郵便ポスト
２０・・・投函口
２１・・・ヘッド収納箱
２３・・・閉塞板
２４・・・支持柱
２６・・・切り欠き部
【図１】
0003235558.tif 000003
【図２】
0003235558.tif 000004
【図３】
0003235558.tif 000005
【図４】
0003235558.tif 000006
【図５】
0003235558.tif 000007
【図６】
0003235558.tif 000008
【図７】
0003235558.tif 000009
【図８】
0003235558.tif 000010
【図９】
0003235558.tif 000011
【手続補正書】
【提出日】令和3年10月5日(2021.10.5)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブの運送に利用するゴルフクラブの梱包部材であって、ゴルフクラブのシャフト部を収納するシャフト梱包部材と、ゴルフクラブのヘッド部を収納するヘッド梱包部材とで構成されて、
前記ヘッド梱包部材は、下端部を閉塞して上端部が開口しているヘッド収納箱と、当該ヘッド収納箱と一体もしくは別体で設けられて、前記ヘッド収納箱の上端部の開口を塞ぐ閉塞板とで構成され、
前記閉塞板は、前記シャフト梱包部材の下端部が挿入される切り欠き部が形成されており、
前記ヘッド収納箱にゴルフクラブのヘッド部を収納した状態で、前記閉塞板で前記ヘッド収納箱の上端部の開口を塞いで、当該閉塞板を前記ヘッド収納箱に止着し、
他方、ゴルフクラブのシャフト部を前記シャフト梱包部材で被装して、当該シャフト梱包部材の下端部を前記閉塞板の切り欠き部に挿入するとともに、当該シャフト梱包部材を前記ヘッド梱包部材に止着するようにしてゴルフクラブを梱包することを特徴とするゴルフクラブの梱包部材。
【請求項２】
前記シャフト梱包部材は、上端部を閉塞するとともに下端部が開口している長尺な箱としたことを特徴とする前記請求項１に記載のゴルフクラブの梱包部材。
【請求項３】
前記ヘッド梱包部材は、下端部を閉塞するとともに上端部が開口しているヘッド収納箱と、
前記ヘッド収納箱の上端部の開口を閉塞する閉塞板とで構成され、
前記ヘッド収納箱は、上端部の一角部に支持柱が形成されるとともに、当該支持柱を除く上端部には挿し込み部が形成されており、
前記閉塞板は、前記ヘッド収納箱の上端部の開口を閉塞した状態において、前記ヘッド収納箱の支持柱との相対個所を切り欠いて、当該支持柱および前記シャフト梱包部材を挿入できる切り欠き部が形成されているとともに、前記ヘッド収納箱の挿し込み部に相対して挿し込み穴が形成されており、
前記ヘッド収納箱にゴルフクラブのヘッド部を収納し、当該ヘッド収納箱の上端部の開口を前記閉塞板で塞いで、当該挿し込み穴に前記ヘッド収納箱の挿し込み部を挿入して、前記閉塞板の切り欠き部に前記ヘッド収納箱の支持柱が配置された状態で、前記閉塞板を下方に押圧してゴルフクラブのヘッド部を押圧して、当該閉塞板を前記ヘッド収納箱に止着し、
他方、ゴルフクラブのシャフト部を、前記シャフト梱包部材で被装して、当該シャフト梱包部材の下端部を、前記ヘッド収納箱の支持柱の内側で、前記閉塞板の切り欠き部に挿入し、前記シャフト梱包部材を前記ヘッド収納箱の支持柱に止着してゴルフクラブを梱包することを特徴とする前記請求項１または請求項２に記載のゴルフクラブの梱包部材。
【請求項４】
前記ヘッド梱包部材は、下端部を閉塞するとともに上端部を開口したヘッド収納箱で構成し、
前記ヘッド収納箱の上端部のうちの１角部には支持柱が形成され、
また、前記支持柱を除く、前期ヘッド収納箱の上端部には前記開口を閉塞する閉塞板が一体で形成されており、
前記閉塞板を、前記ヘッド収納箱の内側に水平に折り曲げると、前記支持柱の内側に切り欠き部が形成されようになり、
前記ヘッド収納箱にゴルフクラブのヘッド部を収納して、前記閉塞板をヘッド収納箱の内側に折り曲げて閉塞板相互を止着し、
他方、ゴルフクラブのシャフト部に、前記シャフト梱包部材を被装し、当該シャフト梱包部材の下端部を前記閉塞板の切り欠き部に挿入するとともに、当該シャフト梱包部材の下端部を、前記ヘッド収納箱の支持柱に止着してゴルフクラブを梱包することを特徴とする前記請求項１または請求項２に記載のゴルフクラブの梱包部材。
【請求項５】
前記ゴルフクラブのシャフト部を収納するシャフト梱包部材と、ゴルフクラブのヘッド部を収納するヘッド梱包部材を折り畳むとともに、厚みと巾および長さが郵便受けの投函口に投函可能なサイズに形成した外装ケースに収納するようにしたことを特徴とする前記請求項１乃至請求項４に記載のゴルフクラブの梱包部材。